(57)【要約】【課題】本発明は、ドレンソケットとドレンポンプ連通側排水ホースとの接続部においてドレン水の漏れがあっても、室内機本体に対する不具合を防止して信頼性の向上を得られる空気調和機の室内機を提供する。【解決手段】室内機本体２０を天井裏に取付け固定し、この室内機本体内部に熱交換器２４と送風機２３およびドレンパン２５を収容し、このドレンパンに集溜されたドレン水が所定の水位を越えたときにドレンポンプ３０を駆動してドレン水を吸上げて排出し、室内機本体に、一側部にドレンポンプに連通する排水ホース５０が接続されるホース接続口体４８ｂと、他側部に屋外へ延出する排水ホースが接続されるホース接続口体４７を備えたドレンソケット４５を取付け、ドレンポンプに連通する排水ホースが接続されるホース接続口体は、その中心軸Ｌ３が基部口体４８ａ連設部から先端部に亘って下方に所定角度θ傾斜する。【選択図】　　図５
2004085131.tif 000002
【特許請求の範囲】
【請求項１】
被空調室の天井に取付け固定される室内機本体と、
この室内機本体内部に収容される熱交換器と送風機および、上記熱交換器の熱交換作用にともなって熱交換器で生成され流下するドレン水を受けて集溜するドレンパンと、
このドレンパンに集溜されたドレン水が所定の水位を越えたときに駆動されドレン水を吸上げて排出するドレンポンプと、
上記室内機本体に取付けられ、その一側部に上記ドレンポンプに連通する排水ホースを接続するホース接続口体と、他側部に屋外へ延出する排水ホースを接続するホース接続口体が、それぞれ突設されるドレンソケットとを具備し、
上記ドレンソケットにおいて、上記ドレンポンプ連通側の排水ホースと接続するホース接続口体は、その中心軸が基端部から先端部に亘って下方に傾斜することを特徴とする空気調和機の室内機。
【発明の詳細な説明】
【０００１】
【発明の属する技術分野】
本発明は、たとえば天井埋込み型の空気調和機の室内機に係り、特に、室内機本体に取付けられ、ドレンポンプと連通する排水ホースが接続されるドレンソケット構造の改良に関する。
【０００２】
【従来の技術】
空気調和機として、被空調室の壁面に取付けられる、いわゆる壁掛け形のような存在感がなく、居住者が受ける圧迫感が希薄であるところから、たとえば天井埋込み型の室内機を有する空気調和機が多用される傾向にある。
この種の空気調和機においても、熱交換作用にともなって熱交換器にドレン水が生成されるので、熱交換器の下端部に発泡スチロール材等で形成されるドレンパンを備え、ここでドレン水を受けて集溜する。
【０００３】
上記ドレンパンに集溜されたドレン水の水位をフロートスイッチが検出し、このフロートスイッチの検知信号にもとづいてドレンポンプを作動させ、ドレン水を吸上げてドレンパンから排出する。
上記ドレンポンプに排水ホースの一端部が接続される。この排水ホースの他端部は筐体に取付け固定したドレンソケットのホース接続口体に接続される。また、ドレンソケットの他側部にもホース接続口体が突設され、ここに接続される排水ホースは屋外へ延出される。
【０００４】
【発明が解決しようとする課題】
ところで、ドレンポンプとドレンソケットとを連通する排水ホースと、ドレンソケットから屋外へ延出される排水ホースは、通常、ゴムホースが用いられているので経年変化により材質が劣化することが避けられない。
さらに、上記ドレンポンプは駆動にともなって振動の発生があり、この振動が排水ホースを介してドレンソケットに伝達されてしまう。そのため、ドレンポンプと排水ホースとの接続部は勿論のこと、排水ホースとドレンソケットのホース接続口体との接続部において緩みや亀裂の発生する虞れがある。
【０００５】
最悪の場合は、ドレンポンプとドレンソケットを連通する排水ホースの両側接続部からドレン水が漏れる。しかしながら、ドレンポンプのホース接続部からドレン水が漏れても、ドレンポンプ自体がドレン水に浸漬しているので問題は少ない。
ところが、ドレンソケットは筐体に取付けられているので、排水ホースとの接続部から漏れたドレン水は室内機本体内面とドレンパンの合わせ面との間に浸透し、ついには室内機本体から滴下してしまい、種々の不具合をもたらす。
【０００６】
本発明は上記事情に着目してなされたものであり、その目的とするところは、比較的簡素な構成でありながら、ドレンソケットとドレンポンプ連通側排水ホースとの接続部においてドレン水の漏れがあっても、室内機本体に対する不具合を防止して信頼性の向上を得られる空気調和機の室内機を提供しようとするものである。
【０００７】
【課題を解決するための手段】
上記課題を解決し目的を達成するために本発明の空気調和機の室内機は、室内機本体を被空調室の天井に取付け固定し、この室内機本体内部に熱交換器と送風機およびドレンパンを収容し、このドレンパンに集溜されたドレン水が所定の水位を越えたときにドレンポンプを駆動してドレン水を吸上げて排出し、上記室内機本体に、一側部にドレンポンプに連通する排水ホースが接続されるホース接続口体と、他側部に屋外へ延出する排水ホースが接続されるホース接続口体を備えたドレンソケットを取付け、上記ドレンソケットのドレンポンプ連通側排水ホースが接続されるホース接続口体は、中心軸が基端部から先端部に亘って下方に傾斜する。
【０００８】
このような課題を解決する手段を備えることにより、ドレンソケットとドレンポンプ連通側排水ホースとの接続部においてドレン水の漏れがあっても、室内機本体に対する不具合を防止して信頼性の向上を得られる。
【０００９】
【発明の実施の形態】
以下、本発明の実施の形態を図面にもとづいて説明する。
図１は本発明の一実施の形態に係る、たとえば天井埋込み型の空気調和機の室内機１０を下面側から示す斜視図、図２は室内機本体２０の概略の断面図である。
空気調和機の室内機１０は、室内側から天井板に設けられる取付け用開口部に挿入され、吊りボルト等を介して、いわゆる天井裏に吊持固定される室内機本体２０と、この室内機本体２０の室内側に露出して取付けられる化粧パネル１００とを備えている。
【００１０】
室内機本体２０は、下面開口部全てが開口し、金属薄板を板金加工した筐体（以下、ハウジングと呼ぶ）２１を備えている。このハウジング２１の内面に、たとえば発泡スチロール材などの合成樹脂材からなる断熱材２２が組み込まれ、室内機本体２０として断熱構造をなしている。
室内機本体２０内部の中央部に送風機２３が配置され、この送風機を囲むようにして平面視でＬ字状に形成された一対の熱交換器部２４ａ，２４ｂからなる室内熱交換器２４が収容される。なお、平面視で四角枠状に折曲された室内熱交換器を用いる場合もある。
【００１１】
室内機本体２０の下面開口部２１ａは、化粧パネル１００によって閉成されている。この化粧パネル１００は室内に露出し、ハウジング２１周面と天井板に設けられる取付け用開口部との隙間を遮蔽する。
上記送風機２３は、ハウジング２１の天板部に適宜な手段で取付け固定されるファンモータ２３ａと、このファンモータの回転軸に取付けられるファン２３ｂとからなる。この送風機２３は、ファン２３ｂの回転に伴い回転軸方向から空気を吸込んで周方向へ吹出す送風作用をなす。
【００１２】
室内熱交換器２４を構成する熱交換器部２４ａ，２４ｂは、送風機２３の吹出し方向に位置している。各熱交換器部２４ａ，２４ｂの下端部はハウジング２１下部に設けられるドレンパン２５内に挿入され、各熱交換器部で生成されるドレン水を受けるようになっている。
なお、図１および図２には図示していないが、上記ドレンパン２５には、集溜されたドレン水の水位を検出するフロートスイッチおよび、このフロートスイッチの検知信号にもとづいて作動しドレンパン内のドレン水を吸上げて排出するドレンポンプを、後述するように備えている。
【００１３】
化粧パネル１００の吸込み口１１０と送風機ファン２３ｂとの間にはベルマウス２６が設けられ、その周囲はドレンパン２５で囲まれている。ベルマウス２６は、送風機ファン２３ｂ側が小径で、かつ、吸込み口１１０側が大径のテーパ状に形成されている。
上記化粧パネル１００には、その中央大部分の面積を占めて矩形状の吸込み口１１０が開口されていて、この吸込み口１１０はドレンパン２５の内側面とほぼ対向して設けられる。
【００１４】
上記化粧パネル１００の吸込み口１１０には、吸込みグリル１１１が着脱自在に取付けられている。この吸込みグリル１１１は、吸込み口１１０における室内空気の流通を可能としながら、吸込み口からハウジング２１内部に対する遮蔽をなしている。
さらに、吸込み口１１０の各辺部に沿って吹出口１２０〜１２３が設けられている。これら吹出口１２０〜１２３は、幅方向に対して長手方向が極端に細長い矩形状をなし、４ヶ所設けられることになる。
【００１５】
各吹出口１２０〜１２３は、ドレンパン２５の外側面とハウジング２１の側面部に取付けられる断熱材２２との間の間隙に対向位置していて、それ自体が外方へ曲成される。
吹出口１２０〜１２３にはルーバー機構に連結されたルーバーがそれぞれ取付けられていて、化粧パネル１００周辺の広い範囲に吹出し案内するようになっている。
【００１６】
つぎに、上記ドレンパン２５に集溜されるドレン水の排出構造について説明する。
図３はドレンポンプ３０の支持構造を表す斜視図、図４はドレンポンプ３０とドレンソケット４５の配置構造を表す平面図、図５はドレンポンプ３０とドレンソケット４５の位置関係を示す正面図、図６は室内機本体に取付けられたドレンソケット４５の正面図である。
【００１７】
図３および図４は、それぞれ組立て作業時の状態を示していて、図３における上下関係は実際に室内機本体２０を天井裏に吊持した場合の上下関係と逆になる。図５および図６は、実際に室内機本体２０を天井裏に吊持した状態で示している。
ハウジング２１とともに室内機本体２０を構成する断熱材２２の一部で、上記熱交換器２４の外周部と側板部２１ｂとの間に、天板部２１ｃから下面開口部２１ａに向けて所定高さの支持用台座部２９が一体に突設される。
【００１８】
この支持用台座部２９の突出端面は断面略凹字状をなし、凹陥部を挟んだ両側上面に、その大部分が断熱材２２内に埋設される取付け用金具の片部が露出している。
上記ドレンポンプ３０はポンプ支持機構３５に支持されていて、その脚部ａが上記支持用台座部２９突出端面に露出する取付け金具に適宜な手段で取付け固定される。
【００１９】
ポンプ支持機構３５の台面には複数の防振ゴム４１が取付けられ、この上にドレンポンプ３０が取付け支持される。すなわち、ドレンポンプ３０は複数の防振ゴム４１を介して支持されるので、ドレンポンプの駆動にともなう振動の発生は極力阻止されるようになっている。
上記ドレンポンプ３０は、防振ゴム４１に取付けられる電動機部３１と、この電動機部に連結される円筒状のポンプ部３２とから構成される。ポンプ部３２の中心軸に沿って吸込み口体３３が突設され、周面には排水ホース５０が接続される吐出口体が設けられる。
【００２０】
上記ポンプ支持機構３５の一方の脚部ａにスイッチ支持板３９が取付けられていて、この折曲片部上に上記フロートスイッチ２８が支持される。フロートスイッチ２８はドレンポンプ３０のポンプ部３２と略同一高さ位置にあり、平面視で互いに並設状態となっている。
このようなドレンポンプ３０を支持する支持用台座部２９の近傍部位で、かつ側板部２１ｂには、後述するドレンソケット４５が取付け固定されている。すなわち、上記ドレンソケット４５はその中央部分にフランジ部４６を備えていて、側板部２１ｂ外面に取付け具を介して取付けられる。
【００２１】
ドレンソケット４５は、フランジ部４６から外部側に突設する外部側口体４７と、内部側に突出する内部側口体４８を一体に備えている。上記外部側口体４７は排水ホースが接続されるホース接続口体そのものであり、この排水ホースそのまま屋外へ延出される。
一方、内部側口体４８は、フランジ部４６側から突出する基部口体４８ａと、この基部口体の先端に一体に連設されるホース接続口体４８ｂとの二段構成となっている。
【００２２】
内部側口体４８のホース接続口体４８ｂに接続される排水ホース５０は、その一端部が上記ドレンポンプ３０におけるポンプ部３２周面に設けられる吐出口体５１に接続されている。換言すれば、この排水ホース５０を介してドレンポンプ３０とドレンソケット４５が連通される。
上記基部口体４８ａおよびホース接続口体４８ｂともに、その上端縁が外部口体４７の上端縁と同一高さに形成される。そして、外部側口体４７の直径よりも基部口体４８ａの直径が一段小さく形成され、ホース接続口体４８ｂの直径は基部口体よりもさらに小さく形成される。
【００２３】
したがって、外部側口体４７の下端縁に対して基部口体４８ａの下端縁が上部にあり、この基部口体下端縁に対してホース接続口体４８ｂの下端縁がさらに上部にある。ホース接続口体４８ｂとドレンポンプ３０のポンプ部３２における吐出口体３４との間に、上記排水ホース５０が接続される。
ドレンソケット４５において、外部側口体４７の中心軸Ｌ１と、内部側口体４８における基部口体４８ａの中心軸Ｌ２はフランジ部４６の面方向に対して直交する方向に形成されるが、ホース接続口体４８ｂの中心軸Ｌ３は基部口体４８ａ側から先端に亘って下方に所定角度θの傾斜で傾いた状態で成形される。
【００２４】
このように構成された天井埋込み型の空気調和機の室内機１０において、送風機２３が駆動されると室内空気が吸込みグリル１１１と吸込み口１１０を介して室内機本体２０内に吸引される。熱交換空気は、熱交換器２４に導かれ熱交換がなされた後、吹出口１２０〜１２３から室内側に吹出される。
上記熱交換器２４の熱交換作用にともなってドレン水が生成され、そのまま流下する。ドレン水はドレンパン２５によって受けられ、集溜される。フロートスイッチ２８は、ドレンパン２５内のドレン水の水位を検出し、この水位が所定水位を越えたことを検知するとドレンポンプ３０に駆動信号が送られる。
【００２５】
ドレンポンプ３０が駆動することによりドレンパン２５のドレン水を吸上げ、排水ホース５０とドレンソケット４５、および排水ホースを介して屋外へ排出する。したがって、ドレンパン２５に集溜されたドレン水がオーバーフローすることなく円滑に排出される。
なお、ドレンソケット４５の外部側口体４７に対する内部側口体４８の形態設定により、ドレンポンプ３０の停止時において外部側口体４７に接続された排水ホース５０からドレン水が逆流してドレンポンプ３０に戻るのを防止する。
【００２６】
すなわち、外部の排水ホースから逆流してきたドレン水は、ドレンソケット４５の外部側口体４７に導かれ、さらに内部側口体４８を構成する基部口体４８ａに浸入しようとする。ところが、外部側口体４７下端縁と基部口体４８ａ下端縁とで段差があるので、ここでドレン水の逆流が規制される。
たとえ一部のドレン水が基部口体４８ａに浸入したとしても、この下端縁とホース接続口体４８ｂ下端縁とで段差があるので、ここでもドレン水の逆流が規制される。
【００２７】
したがって、ドレンポンプ３０に戻る逆流ドレン水はほとんどなく、大量のドレン水がドレンポンプを介してドレンパン２５に戻りオーバーフローすることようなことががない。
上記排水ホース５０は、通常、ゴムホースが用いられているので経年変化により材質が劣化することが避けられない。さらに、ドレンポンプ３０は防振ゴム４１に支持されてはいるが、一部の振動は排水ホース５０を介してドレンソケット４５に伝達されてしまう。
【００２８】
そのため、ドレンポンプ３０の吐出口体と排水ホース５０との接続部は勿論のこと、排水ホース５０とドレンソケット４５のホース接続口体４８ｂとの接続部において緩みや亀裂の発生する虞れがある。
最悪の場合は、ドレンポンプ３０とドレンソケット４５を連通する排水ホース５０の両側接続部からドレン水が漏れる。しかしながら、ドレンポンプ３０との接続部からドレン水が漏れても、ドレンポンプ３０自体がドレン水に浸漬しているので何らの問題もない。
【００２９】
ドレンソケット４５は室内機本体２０に取付けられているので、ホース接続口体４８ｂとの接続部からドレン水が漏れた場合は、そのままでは室内機本体２０内面とドレンパン２５との合わせ面との間に浸透してしまう。
しかしながら、上述したようにドレンソケット４５の内部側口体４８におけるホース接続口体４８ｂは、その中心軸Ｌ３が基部口体４８ａ側から先端に亘って下方に所定角度θの傾斜で傾いた状態で成形される。
【００３０】
したがって、このホース接続口体４８ｂと、ここに嵌め込まれる排水ホース５０との接続部からドレン水が漏れたとしても、漏れたドレン水はホース接続口体４８ｂと排水ホース５０との傾斜に沿って流れる。
結局は、漏れたドレン水は排水ホース５０の表面を介してドレンパン２５に集溜されるドレン水に戻る。少なくとも室内機本体２０内面とドレンパン２５面との間に浸透することがなく、室内機本体２０に対する不具合を防止して信頼性の向上を得られる。
【００３１】
なお、上述の実施の形態では、化粧パネル１００に４方向へ吹出す吹出口１２０〜１２３を備えたが、これに限定されるものではなく、例えば２方向吹出しの吹出口を備えたものでもよい。
さらに、室内機本体を天井裏に埋込むタイプのものとして説明したが、例えば天井から吊り下げる、いわゆる天吊りタイプの室内機でも適用される。要は、ドレンパンに集溜したドレン水をドレンポンプにより排出し、かつドレンソケットを備えた室内機に適用される。
また、本発明は実施の形態に限定されるものではなく、本発明の要旨を逸脱しない範囲で種々変形実施可能であるのは勿論である。
【００３２】
【発明の効果】
以上説明したように本発明によれば、比較的簡素な構成でありながら、ドレンソケットとドレンポンプ連通側排水ホースとの接続部においてドレン水の漏れがあっても、室内機本体に対する不具合を防止して信頼性の向上を得られるなどの効果を奏する。
【図面の簡単な説明】
【図１】本発明の一実施の形態に係る天井埋込み型の空気調和機の室内機を下面側から示す斜視図。
【図２】同実施の形態の、室内機本体の断面図。
【図３】同実施の形態の、室内機本体内部におけるドレンポンプの支持構造を表す斜視図。
【図４】同実施の形態の、室内機本体内部におけるドレンポンプとドレンソケットの取付け構造を表す平面図。
【図５】同実施の形態の、ドレンポンプに対するドレンソケットの高さ位置と接続状態を説明する正面図。
【図６】同実施の形態の、ドレンソケットの構成を説明する正面図。
【符号の説明】
２０…室内機本体、
２４…熱交換器、
２３…送風機、
２５…ドレンパン、
３０…ドレンポンプ、
５０…排水ホース、
４８ｂ…ホース接続口体、
４５…ドレンソケット。
【図１】
2004085131.tif 000003
【図２】
2004085131.tif 000004
【図３】
2004085131.tif 000005
【図４】
2004085131.tif 000006
【図５】
2004085131.tif 000007
【図６】
2004085131.tif 000008